【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
マルチキャストサービスまたはブロードキャストサービスを提供するため、ユーザプレーンエンティティと、複数の異なるプールエリアに同時に割り当てられている異なるアクセスノードとの間にユーザプレーンを確立する方法であって、
前記複数の異なるプールエリアに同時に割り当てられている各アクセスノードにおいて、前記異なるプールエリアの異なるユーザプレーンエンティティを示している複数のセッション開始メッセージを受信するステップと、
前記複数の異なるプールエリアに同時に割り当てられている各アクセスノードによって、前記セッション開始メッセージに示されている前記示されたユーザプレーンエンティティのうちの１つのユーザプレーンエンティティを、前記複数の異なるプールエリアに同時に割り当てられているすべてのアクセスノードに共通する選択規則に基づいて、選択するステップであって、前記選択規則が、前記複数の異なるプールエリアに同時に割り当てられている前記アクセスノードが、前記複数の異なるプールエリアの１つにおける同じユーザプレーンエンティティを選択することを確保する、前記ステップと、
マルチキャストサービスまたはブロードキャストサービスを提供するため、前記選択された同じユーザプレーンエンティティまでの各ユーザプレーンを、前記アクセスノードによって確立するステップと、
を含んでいる方法。
【請求項２】
前記マルチキャストサービスまたはブロードキャストサービスのためのサービス開始メッセージであって、前記複数の異なるプールエリアに割り当てられている前記アクセスノードにおいて受信される前記サービス開始メッセージが、前記マルチキャストサービスまたはブロードキャストサービスを識別する共通サービス識別子を備えている、請求項１に記載の方法。
【請求項３】
前記マルチキャストサービスまたはブロードキャストサービスのサービスデータを、前記選択されたユーザプレーンエンティティから、前記複数の異なるプールエリアに割り当てられている前記各アクセスノードまで、前記確立されたユーザプレーンを介してトンネル化するステップ、
をさらに含んでいる、請求項１または２に記載の方法。
【請求項４】
前記セッション開始メッセージが、前記複数の異なるプールエリアの移動管理エンティティから受信され、前記移動管理エンティティが、前記複数の異なるプールエリアの各プールエリアにおいて前記マルチキャストサービスまたはブロードキャストサービスを受信するように移動端末を処理担当する、請求項１〜３のいずれか１項に記載の方法。
【請求項５】
前記マルチキャストサービスまたはブロードキャストサービスのためのセッション開始メッセージを受信した各アクセスノードから、前記選択されたユーザプレーンエンティティを自身のセッション開始メッセージにおいて示した移動管理エンティティに、肯定応答を送信するステップ、
をさらに含んでいる、請求項４に記載の方法。
【請求項６】
選択されないユーザプレーンエンティティを示しているセッション開始メッセージを送信した前記移動管理エンティティに、前記選択されたユーザプレーンエンティティを通知するステップ、
をさらに含んでいる、請求項４または５に記載の方法。
【請求項７】
前記通知は、前記マルチキャストサービスまたはブロードキャストサービスのためのセッション開始メッセージを受信した各アクセスノードによって送信され、または、移動管理エンティティからのセッション開始メッセージの受信に応えてアクセスノードによって前記移動管理エンティティに送信される否定応答と一緒に、もしくは否定応答の中で、送信される、請求項６に記載の方法。
【請求項８】
前記通知は、前記選択されたユーザプレーンエンティティの識別子を含んでいる、または、前記選択されたユーザプレーンエンティティの前記プールエリアを識別する、請求項６または７に記載の方法。
【請求項９】
マルチキャストサービスまたはブロードキャストサービスを提供するため、ユーザプレーンエンティティと、重なり合うプールエリアの重なり領域内の複数の異なるアクセスノードとの間にユーザプレーンを確立する方法であって、
少なくとも部分的に重なり合う複数の異なるプールエリアの移動管理エンティティであって、前記複数の異なるプールエリアにおける移動端末を処理担当している前記移動管理エンティティによって、前記複数の異なるプールエリアの前記重なり合う部分のアクセスノードが、前記移動端末に提供されるマルチキャストサービスまたはブロードキャストサービスのためのユーザプレーンを確立する先の、前記プールエリアのうちの１つのユーザプレーンエンティティを決定するステップと、
前記ユーザプレーンが確立される先の前記ユーザプレーンエンティティを明示的または暗黙的に識別している少なくとも１つのメッセージを、前記複数の異なるプールエリアの前記重なり合う部分の前記アクセスノードのそれぞれに送信するステップと、
を含んでいる方法。
【請求項１０】
ユーザプレーンエンティティと自身との間にユーザプレーンを確立するアクセスノードであって、マルチキャストサービスまたはブロードキャストサービスを提供するため、前記アクセスノードは複数の異なるプールエリアに同時に割り当てられており、
前記異なるプールエリアの異なるユーザプレーンエンティティを示している複数のセッション開始メッセージを受信する通信ユニットと、
前記セッション開始メッセージの中に示されている、前記示されたユーザプレーンエンティティのうち１つのユーザプレーンエンティティを、前記複数の異なるプールエリアに同時に割り当てられているすべてのアクセスノードに共通する選択規則、に基づいて選択する処理ユニットであって、前記選択規則が、前記複数の異なるプールエリアに同時に割り当てられているすべてのアクセスノードが、前記複数の異なるプールエリアのユーザプレーンエンティティのうちの同じユーザプレーンエンティティを選択することを確保する、前記処理ユニットと、
を備えており、
前記通信ユニットは、マルチキャストサービスまたはブロードキャストサービスを提供するため、前記同じ選択されたユーザプレーンエンティティまで各ユーザプレーンを確立するようにされている、
アクセスノード。
【請求項１１】
ユーザプレーンエンティティと自身との間にユーザプレーンを確立するアクセスノードであって、マルチキャストサービスまたはブロードキャストサービスを提供するため、前記アクセスノードは複数の異なるプールエリアに同時に割り当てられており、
前記異なるプールエリアの異なるユーザプレーンエンティティを示しているセッション開始メッセージを、前記複数の異なるプールエリアの複数の異なる移動管理エンティティから受信する受信器と、
前記同じマルチキャストサービスまたはブロードキャストサービスのためのセッション開始メッセージであって、複数の異なるユーザプレーンエンティティを識別している、前記セッション開始メッセージ、が受信されたことを示す通知を、前記複数の異なる移動管理エンティティのうちの少なくとも１つに送信する送信器と、
を備えており、
前記受信器は、前記通知に応えての、前記複数の異なるプールエリアのうちの１つのユーザプレーンエンティティを示しているメッセージ、を受信するようにされており、前記アクセスノードは、マルチキャストサービスまたはブロードキャストサービスを提供するため、前記示されたユーザプレーンエンティティまでユーザプレーンを確立するようにされている、
アクセスノード。
【請求項１２】
マルチキャストサービスまたはブロードキャストサービスを提供するため、ユーザプレーンエンティティと、重なり合うプールエリアの重なり領域内に位置している異なるアクセスノードとの間にユーザプレーンを確立する移動管理エンティティであって、
前記複数の異なるプールエリアの前記重なり合う部分のアクセスノードが、前記移動管理エンティティによって処理担当されている前記移動端末に提供されるマルチキャストサービスまたはブロードキャストサービスのためのユーザプレーンを確立する先の、前記複数の異なるプールエリアのうちの１つのユーザプレーンエンティティ、を決定する処理ユニットと、
前記ユーザプレーンが確立される先の前記ユーザプレーンエンティティを明示的または暗黙的に識別しているメッセージを、複数の異なるプールエリアの前記重なり合う部分の前記アクセスノードのそれぞれに送信する通信ユニットと、
を備えている、移動管理エンティティ。
【請求項１３】
命令を格納しているコンピュータ可読媒体であって、前記命令がアクセスノードのプロセッサによって実行されたとき、それに起因して、前記アクセスノードが、ユーザプレーンエンティティと前記アクセスノードとの間にユーザプレーンを確立し、マルチキャストサービスまたはブロードキャストサービスを提供するため、前記アクセスノードが複数の異なるプールエリアに同時に割り当てられており、
前記ユーザプレーンの確立が、
異なるプールエリアの異なるユーザプレーンエンティティを示している複数のセッション開始メッセージを受信するステップと、
前記セッション開始メッセージに示されている前記示されたユーザプレーンエンティティのうちの１つのユーザプレーンエンティティを、前記複数の異なるプールエリアに同時に割り当てられているすべてのアクセスノードに共通する選択規則に基づいて、選択するステップであって、前記選択規則が、複数の異なるプールエリアに同時に割り当てられているすべてのアクセスノードが、前記複数の異なるプールエリアのユーザプレーンエンティティのうちの同じユーザプレーンエンティティを選択することを確保する、前記ステップと、
マルチキャストサービスまたはブロードキャストサービスを提供するため、前記選択された同じユーザプレーンエンティティまでの各ユーザプレーンを前記アクセスノードによって確立するステップと、
によって行われる、
コンピュータ可読媒体。
【請求項１４】
命令を格納しているコンピュータ可読媒体であって、前記命令がアクセスノードのプロセッサによって実行されたとき、それに起因して、前記アクセスノードが、ユーザプレーンエンティティと前記アクセスノードとの間にユーザプレーンを確立し、マルチキャストサービスまたはブロードキャストサービスを提供するため、前記アクセスノードが複数の異なるプールエリアに同時に割り当てられており、
前記ユーザプレーンの確立が、
前記異なるプールエリアの異なるユーザプレーンエンティティを示しているセッション開始メッセージを、前記複数の異なるプールエリアの複数の異なる移動管理エンティティから受信するステップと、
同じマルチキャストサービスまたはブロードキャストサービスのためのセッション開始メッセージであって、複数の異なるユーザプレーンエンティティを識別している、前記セッション開始メッセージ、が受信されたことを示す通知を、前記複数の異なる移動管理エンティティのうちの少なくとも１つに送信するステップと、
前記通知に応えての、前記複数の異なるプールエリアのうちの１つのユーザプレーンエンティティを示しているメッセージ、を受信するステップと、
マルチキャストサービスまたはブロードキャストサービスを提供するため、前記示されたユーザプレーンエンティティまでのユーザプレーンを確立するステップと、
によって行われる、
コンピュータ可読媒体。
【請求項１５】
命令を格納しているコンピュータ可読媒体であって、前記命令が移動管理エンティティによって実行されたとき、それに起因して、前記移動管理エンティティが、マルチキャストサービスまたはブロードキャストサービスを提供するため、ユーザプレーンエンティティと、重なり合うプールエリアの重なり領域内に位置している複数の異なるアクセスノードとの間にユーザプレーンを確立し、
前記ユーザプレーンの確立が、
前記複数の異なるプールエリアの前記重なり合う部分のアクセスノードが、前記移動管理エンティティによって処理担当されている前記移動端末に提供されるマルチキャストサービスまたはブロードキャストサービスのためのユーザプレーンを確立する先の、前記複数の異なるプールエリアのうちの１つのユーザプレーンエンティティ、を決定するステップと、
前記ユーザプレーンが確立される先の前記ユーザプレーンエンティティを明示的または暗黙的に識別しているメッセージを、複数の異なるプールエリアの前記重なり合う部分の前記アクセスノードのそれぞれに送信するステップと、
によって行われる、
コンピュータ可読媒体。